(57)【特許請求の範囲】
【請求項１】
傷病者情報を管理するトリアージタグに電子ペン専用ドットパターンが印刷され、筆記具に電子ペンを使用する傷病者管理システムであって、
前記トリアージタグの種類に対応する電子ペン専用ドットパターンが印刷されたトリアージタグと、
前記トリアージタグ上のドットパターンから記録情報を取得する電子ペンと、
前記電子ペンとネットワークで接続し、前記電子ペンから受信した電子ペン識別情報を付与した記録情報を電子ペンシステム管理サーバに送信する通信端末と、
ネットワーク上に設けられ、受信した前記電子ペン識別情報を付与した記録情報をテキスト情報に変換する電子ペンシステム管理サーバと、
ネットワーク上に設けられ、少なくともトリアージタグ番号、現在の所在情報、トリアージ区分からなる傷病者情報を収集、管理するトリアージタグ情報サーバと、
前記トリアージタグに備えられた非接触ＩＣタグに記憶されているトリアージタグ番号および前記トリアージタグ情報サーバのアドレスを読み取る携帯型ＩＣタグリーダと、
を備え、
前記トリアージタグ情報サーバは、
傷病者毎に装着されるトリアージタグに対応づけられた傷病者情報を記憶、管理するデータベースと、
少なくとも避難場所および搬送拠点および医療機関からなる、傷病者の収容される複数の拠点の所在情報を保持する拠点所在情報テーブルと、
受信した前記電子ペンにより取得した記録情報を変換したテキスト情報に基づいて生成した傷病者情報を前記データベースに登録、記憶する登録手段と、
前記傷病者の搬送に伴い、前記携帯型ＩＣタグリーダから受信した、前記トリアージタグに備えられた非接触ＩＣタグから読み取られたトリアージタグ番号に対応づけられる傷病者情報を前記データベースから取得し、登録されている当該傷病者情報の少なくともトリアージタグ番号、および、現在の所在情報、および、トリアージ区分と、前記現在の所在情報の更新を補助するために設けられる前記拠点所在情報テーブルから選択された所定範囲の前記拠点のリストボックスと、トリアージ区分を選択可能にするリストボックスとからなる情報更新画面を作成し、前記携帯型ＩＣタグリーダに提供する提供手段と、
前記携帯型ＩＣタグリーダにより入力された前記現在の所在情報またはトリアージ区分の更新情報を、前記データベースの該トリアージタグ番号に対応付けられる傷病者情報に登録する更新手段と、
を具備することを特徴とするトリアージタグ使用による傷病者管理システム。
【請求項２】
トリアージタグの種類に対応する電子ペン専用ドットパターンが印刷され、非接触ＩＣタグを備えたトリアージタグから記録情報を取得する電子ペンと通信可能で、前記電子ペンから受信した電子ペン識別情報を付与した記録情報を送信する通信端末と、前記通信端末から受信した前記電子ペン識別情報を付与した記録情報をテキスト情報に変換する電子ペンシステム管理サーバと、前記トリアージタグに備えられた非接触ＩＣタグに記憶されているトリアージタグ番号を読み取る携帯型ＩＣタグリーダと、ネットワークを介して接続され、傷病者情報を収集、管理するトリアージタグ情報サーバであって、
傷病者毎に装着されるトリアージタグに対応付けられた傷病者情報を記憶、管理するデータベースと、
少なくとも避難場所および搬送拠点および医療機関からなる、傷病者の収容される複数の拠点の所在情報を保持する拠点所在情報テーブルと、
受信した前記電子ペンにより取得した記録情報を変換したテキスト情報に基づいて生成した傷病者情報を前記データベースに登録、記憶する登録手段と、
前記傷病者の搬送に伴い、前記携帯型ＩＣタグリーダから受信した、前記トリアージタグに備えられた非接触ＩＣタグから読み取られたトリアージタグ番号に対応づけられる傷病者情報を前記データベースから取得し、登録されている当該傷病者情報の少なくともトリアージタグ番号、および、現在の所在情報、および、トリアージ区分と、前記現在の所在情報の更新を補助するために設けられる前記拠点所在情報テーブルから選択された所定範囲の前記拠点のリストボックスと、トリアージ区分を選択可能にするリストボックスとからなる情報更新画面を作成し、前記携帯型ＩＣタグリーダに提供する提供手段と、
前記携帯型ＩＣタグリーダにより入力された前記現在の所在情報またはトリアージ区分の更新情報を、前記データベースの該トリアージタグ番号に対応付けられる傷病者情報に登録する更新手段と、
を具備することを特徴とするトリアージタグ情報サーバ。
【請求項３】
コンピュータを請求項２のトリアージタグ情報サーバとして機能させるプログラム。
【請求項４】
コンピュータを請求項２のトリアージタグ情報サーバとして機能させるプログラムを記録した記録媒体。
【発明の詳細な説明】
【技術分野】
【０００１】
本発明は、傷病者選別票（以下、トリアージタグという。）使用による傷病者管理システムに係り、特に、電子ペンと、電子ペン専用ドットパターンが印刷されたトリアージタグ使用による傷病者管理システムに関する。
【背景技術】
【０００２】
近年、地震，台風，テロ等による大規模災害時の対応システムにトリアージタグと呼ばれる治療優先度を示す標識タグが用いられている。
トリアージタグは、タグに傷病者の個人情報や病状を記録し、さらに、治療の優先度を色でランク付けした標識タグを貼付して紐などで傷病者に装着し、傷病者の治療の緊急度が判るようにしたものである。
【０００３】
大規模災害等では広い範囲で傷病者が発生し、しかも、緊急度が高い傷病者がどこに存在するか正確に把握できないために有効な治療を受けられずに命を失う傷病者が多い。
また、災害現場では、夜間にも治療活動を行わなければならないが、上記のような標識タグでは、夜間の暗がりの中では治療の優先度を認識できないという不便さがある。
【０００４】
そこで、リアルタイムで災害現場の状況が把握でき、災害時に、電子ペンとトリアージタグを用意するだけでインフラとしての通信手段が利用でき、突然の災害に対して早期の対応が可能となるトリアージタグ使用による傷病者管理システムが提供されている（例えば、特許文献１参照）。この傷病者管理システムは、トリアージタグの種類に対応する電子ペン専用ドットパターンが印刷されたトリアージタグと、トリアージタグ上のドットパターンから記録情報を取得する電子ペンと、電子ペンと接続される通信端末と、電子ペンシステム管理サーバと、電子ペンにより取得した記録情報に基づき傷病者情報を収集するトリアージタグ情報サーバとからなり、トリアージタグ使用による傷病者情報を管理している。
【０００５】
【特許文献１】特開２００７−１７２０１０号公報
【発明の開示】
【発明が解決しようとする課題】
【０００６】
しかしながら、大規模災害発生時は、被災地内の医療機関で全ての傷病者を受け入れることが困難な状況になる。その場合、被災地外の医療機関へ傷病者を搬送することになり、災害対策本部等では、搬送傷病者の所在を把握できなくなるという課題がある。家族などからの問い合わせに対応するため、所在情報の管理が必要になる。従来の傷病者管理システムでは、搬送に伴う傷病者の所在情報を管理する機能がなく、被災時の混乱した状況を考慮したシームレスに情報の管理を行う仕組みが必要であった。
【０００７】
本発明は、このような問題に鑑みてなされたもので、その目的とするところは、傷病者搬送に伴い変化する傷病者の情報を容易に管理可能とするトリアージタグ使用による傷病者管理システム等を提供することにある。
【課題を解決するための手段】
【０００８】
前述した課題を解決するために第１の発明は、傷病者情報を管理するトリアージタグに電子ペン専用ドットパターンが印刷され、筆記具に電子ペンを使用する傷病者管理システムであって、前記トリアージタグの種類に対応する電子ペン専用ドットパターンが印刷されたトリアージタグと、前記トリアージタグ上のドットパターンから記録情報を取得する電子ペンと、前記電子ペンとネットワークで接続し、前記電子ペンから受信した電子ペン識別情報を付与した記録情報を電子ペンシステム管理サーバに送信する通信端末と、ネットワーク上に設けられ、受信した前記電子ペン識別情報を付与した記録情報をテキスト情報に変換する電子ペンシステム管理サーバと、ネットワーク上に設けられ、少なくともトリアージタグ番号、現在の所在情報、トリアージ区分からなる傷病者情報を収集、管理するトリアージタグ情報サーバと、前記トリアージタグに備えられた非接触ＩＣタグに記憶されているトリアージタグ番号および前記トリアージタグ情報サーバのアドレスを読み取る携帯型ＩＣタグリーダと、を備え、前記トリアージタグ情報サーバは、傷病者毎に装着されるトリアージタグに対応づけられた傷病者情報を記憶、管理するデータベースと、少なくとも避難場所および搬送拠点および医療機関からなる、傷病者の収容される複数の拠点の所在情報を保持する拠点所在情報テーブルと、受信した前記電子ペンにより取得した記録情報を変換したテキスト情報に基づいて生成した傷病者情報を前記データベースに登録、記憶する登録手段と、前記傷病者の搬送に伴い、前記携帯型ＩＣタグリーダから受信した、前記トリアージタグに備えられた非接触ＩＣタグから読み取られたトリアージタグ番号に対応づけられる傷病者情報を前記データベースから取得し、登録されている当該傷病者情報の少なくともトリアージタグ番号、および、現在の所在情報、および、トリアージ区分と、前記現在の所在情報の更新を補助するために設けられる前記拠点所在情報テーブルから選択された所定範囲の前記拠点のリストボックスと、トリアージ区分を選択可能にするリストボックスとからなる情報更新画面を作成し、前記携帯型ＩＣタグリーダに提供する提供手段と、前記携帯型ＩＣタグリーダにより入力された前記現在の所在情報またはトリアージ区分の更新情報を、前記データベースの該トリアージタグ番号に対応付けられる傷病者情報に登録する更新手段と、を具備することを特徴とするトリアージタグ使用による傷病者管理システムである。
【０００９】
「電子ペン」（「デジタルペン」とも称す）は、ペン型入力装置であり、本発明では、スウェーデン国の「Ａｎｏｔｏ社」で開発されたアノトペンの例で説明する。電子ペンは、インクカートリッジを伴った筆記部，ドットパターンを読み取るデジタルカメラによる撮像部、通信端末に座標情報を送信する通信部と、を有し、撮像部で読み取られた筆記情報（座標情報）を近くの携帯電話などの通信端末に送信する。
「トリアージタグ（傷病者選別票）」は、電子ペン専用ドットパターンが印刷されており、本発明では、アノトペン専用ドットパターンが印刷されたトリアージタグの例で説明する。
「機械的に識別可能な情報記憶媒体」は、非接触ＩＣタグ、１次元バーコード等であり、「情報記憶媒体を機械的に識別可能な読取装置」は、ＩＣタグリーダ、バーコードリーダ等である。
【００１０】
第１の発明のトリアージタグ使用による傷病者管理システムにより、大災害時のような混乱した状況下でも、医療機関への搬送に伴う傷病者の所在情報を管理可能となり、搬送傷病者の所在をリアルタイムで把握可能となる。また、災害時の傷病者情報のデータベースが構築され、傷病者の症状の変化に応じた傷病者の情報の更新を可能とする。また、被災時の混乱した状況を考慮したシームレスに情報の管理が行える。
【００１１】
また、第２の発明は、トリアージタグの種類に対応する電子ペン専用ドットパターンが印刷され、非接触ＩＣタグを備えたトリアージタグから記録情報を取得する電子ペンと通信可能で、前記電子ペンから受信した電子ペン識別情報を付与した記録情報を送信する通信端末と、前記通信端末から受信した前記電子ペン識別情報を付与した記録情報をテキスト情報に変換する電子ペンシステム管理サーバと、前記トリアージタグに備えられた非接触ＩＣタグに記憶されているトリアージタグ番号を読み取る携帯型ＩＣタグリーダと、ネットワークを介して接続され、傷病者情報を収集、管理するトリアージタグ情報サーバであって、傷病者毎に装着されるトリアージタグに対応づけられた傷病者情報を記憶、管理するデータベースと、少なくとも避難場所および搬送拠点および医療機関からなる、傷病者の収容される複数の拠点の所在情報を保持する拠点所在情報テーブルと、受信した前記電子ペンにより取得した記録情報を変換したテキスト情報に基づいて生成した傷病者情報を前記データベースに登録、記憶する登録手段と、前記傷病者の搬送に伴い、前記携帯型ＩＣタグリーダから受信した、前記トリアージタグに備えられた非接触ＩＣタグから読み取られたトリアージタグ番号に対応づけられる傷病者情報を前記データベースから取得し、登録されている当該傷病者情報の少なくともトリアージタグ番号、および、現在の所在情報、および、トリアージ区分と、前記現在の所在情報の更新を補助するために設けられる前記拠点所在情報テーブルから選択された所定範囲の前記拠点のリストボックスと、トリアージ区分を選択可能にするリストボックスとからなる情報更新画面を作成し、前記携帯型ＩＣタグリーダに提供する提供手段と、前記携帯型ＩＣタグリーダにより入力された前記現在の所在情報またはトリアージ区分の更新情報を、前記データベースの該トリアージタグ番号に対応付けられる傷病者情報に登録する更新手段と、を具備することを特徴とするトリアージタグ情報サーバである。
【００１２】
第２の発明は、第１の発明のトリアージタグ使用による傷病者情報管理システムのトリアージタグ情報サーバに関する発明である。
【００１３】
第３の発明は、コンピュータを第２の発明のトリアージタグ情報サーバとして機能させるプログラムである。
第４の発明は、コンピュータを第２の発明のトリアージタグ情報サーバとして機能させるプログラムを記録した記録媒体である。
【００１４】
上述のプログラムをＣＤ−ＲＯＭ等の記録媒体に保持させて流通させてもよいし、このプログラムを通信回線を介して送受することもできる。
【発明の効果】
【００１５】
本発明は、傷病者搬送に伴い変化する傷病者の情報を容易に管理可能とするトリアージタグ使用による傷病者管理システム等を提供することができる。
【発明を実施するための最良の形態】
【００１６】
以下に、添付図面を参照しながら、本発明に係るトリアージタグ使用による傷病者管理システム等の好適な実施形態について詳細に説明する。尚、以下の説明および添付図面において、略同一の機能構成を有する構成要素については、同一の符号を付することにより重複説明を省略することにする。
また、本発明のトリアージタグに備える「機械的に識別可能な情報記憶媒体」には、非接触ＩＣタグ、１次元バーコード等があり、「情報記憶媒体」を機械的に識別可能な「読取装置」にはＩＣタグリーダ、バーコードリーダ等がある。本実施の形態では、代表例として、「機械的に識別可能な情報記憶媒体」は非接触ＩＣタグ、その読取装置として、ＩＣタグリーダを用いて、説明する。
【００１７】
図１は、本発明の本実施の形態に係るトリアージタグ使用による傷病者管理システム１００の概略構成を示す図である。
【００１８】
図１は、トリアージタグ使用による傷病者管理システム１００の一例であり、図１に示すように、トリアージタグ使用による傷病者管理システム１００は、トリアージタグ２上のドットパターンから記録情報を取得する電子ペン１、通信端末３、電子ペンシステム管理サーバ４、トリアージタグ情報サーバ５、携帯型ＩＣタグリーダ７が、ネットワーク９を介して接続されて構成される。尚、トリアージタグ使用による傷病者管理システム１００は、ＷＷＷ（Ｗｏｒｌｄ  Ｗｉｄｅ  Ｗｅｂ）技術を用いて実現した場合の構成図である。
【００１９】
ネットワーク９は、インターネット、ローカルエリアネットワーク（ＬＡＮ）等のネットワークであり、有線、無線を問わない。
【００２０】
電子ペン１は、トリアージタグの種類に対応する電子ペン専用ドットパターンが印刷されたトリアージタグ２に傷病情報を記載し、トリアージタグ２に印刷されたドットパターンを赤外線で読み取って、記載した情報の座標情報に自身の電子ペン識別情報（以下、電子ペンコードと称す）を付与して通信端末３に送信する。
通信端末３は、携帯型端末（Ｐｅｒｓｏｎａｌ  Ｄｉｇｉｔａｌ  Ａｓｓｉｓｔａｎｔ）であり、例えば、携帯電話、小型パソコン等である。通信端末３は、電子ペン１から受信した記録情報と電子ペンコードを電子ペンシステム管理サーバ４に送信する。本発明のトリアージタグ使用による傷病者管理システム１００では、一例として、携帯便利で緊急時にも利用可能な通信端末３を携帯電話で説明する。
【００２１】
電子ペンシステム管理サーバ４は、サーバコンピュータ等であり、多くの場合、二つのサーバに分割されており、分割された一方の電子ペンシステム管理サーバ４は、ネットワーク９を介して通信端末３から受信したドットパターン情報の内容に合せて、傷病者情報等の送信先ＵＲＬを通信端末３に送信する。通信端末３は、指示されたＵＲＬ（分割された他方の電子ペンシステム管理サーバ）に傷病者情報（以下、トリアージタグ記載情報と称す）と電子ペンコードとを送信する。
分割された他方の電子ペンシステム管理サーバ４は、受信した上述の電子ペンコードとトリアージタグ記載情報をイメージ画像およびテキストデータ（テキスト情報）に変換して通信端末３に送信し、通信端末３からトリアージタグ情報サーバ５に送信する。
【００２２】
尚、本実施の形態では、テキスト情報に変換した電子ペンコードとトリアージタグ記載情報を、通信端末３を介してトリアージタグ情報サーバ５に送信したが、これに限らず、システムによっては、電子ペンシステム管理サーバ４は、受信した電子ペンコードとトリアージタグ記載情報をイメージ画像およびテキストデータに変換してトリアージタグ情報サーバ５に送信してもよい。
【００２３】
トリアージタグ情報サーバ５は、サーバコンピュータ等であり、傷病者情報データベース６等を有し、受信した電子ペンコードとトリアージタグ記載情報を基に傷病者情報を傷病者情報データベース６に登録、保持し、正常に登録すると通信端末３に登録通知を行う。
【００２４】
携帯型ＩＣタグリーダ７は、傷病者の搬送に伴って、拠点（搬送拠点）８−１、拠点（医療機関）８−２等にて、傷病者に装着したトリアージタグ２のＩＣタグ１０に記憶されたトリアージタグ番号を読み取り、トリアージタグ情報サーバ５に送信し、傷病者情報データベース６から該当するトリアージタグ２の傷病者情報を問い合わせ、傷病者の搬送により変化する所在情報、トリアージ区分等の情報を更新要求する。
【００２５】
次に、電子ペン１の構成を説明する。図２は、電子ペン１の構成を示す図である。代表例として、電子ペン１は、スウェーデン国の「Ａｎｏｔｏ社」で開発されたアノトペンの例で説明する。
【００２６】
電子ペン１は、制御部１１、記憶部１２、圧力センサ１３、通信部１４、撮像部１５、ＬＥＤ１６、筆記部１７等から構成される。
【００２７】
制御部１１は、接続された各装置を駆動制御し、電子ペン１が行う後述する各種処理（図１０参照）である、圧力センサ1３から与えられる筆圧データに基づいて、撮像部１５及びＬＥＤ１６及びのスイッチオン／オフの切換を行い、トリアージタグ２に印刷されたドットパターンを撮像部１５で読み取って記憶部１２で記憶し、通信部１４から通信端末３に送信する。
記憶部１２は、撮像部１５で読み取られたドットパターン（座標情報）、自電子ペンの電子ペンコードを記憶する。
圧力センサ１３は、利用者が電子ペン１によりトリアージタグ２上に文字などを書く際にペン先に与えられる圧力、即ち筆圧を検出し、情報の記載が開始されることを制御部１１に伝え、筆圧の強弱を読み分ける。
通信部１４は、Ｂｌｕｅｔｏｏｔｈ対応、またはＵＳＢ（Ｕｎｉｖｅｒｓａｌ Ｓｅｒｉａｌ Ｂｕｓ）対応となっており、通信端末３と電子ペン１間の通信制御を行う。
撮像部１５は、デジタルカメラであり、トリアージタグ２に印刷されているドットパターンを読み取る。ＬＥＤ１６は、撮像部１５による撮像時、トリアージタグ２上のペン先近傍を照明する。
筆記部１７は、インクカートリッジを有し、インクカートリッジ側の先端が圧力センサ１３に接触する構成になっている。筆記部は、単なる筆記具として使用することもできるようになっている。
【００２８】
次に、図３を参照しながら、トリアージタグ２の一例について説明する。図３は、トリアージタグ２の一例を示す図である。
【００２９】
トリアージタグ２（「トリアージタッグ」とも称す）は、傷病者情報などが記載された後、傷病者の足や腕に紐や、輪ゴムなどで装着されるようになっている。また、水に濡れても記載可能な表面状態になっており、さらに、記載された内容が水で消失しないような材質で作製されている。
トリアージタグ２には、傷病者の情報が記載された後、傷病の状態が判別可能なように治療の優先度を識別する標識２４（切取りミシンなどが施された四色の紙片）が貼付されるようになっている。
【００３０】
トリアージタグ２はＩＣタグ１０を備え、トリアージタグ２の表面は、傷病者情報記載部２１、チェックボックス２３、その下部に形成された治療の優先度を識別する標識２４とから構成され、トリアージタグ２の裏面は、人体図２５、トリアージ区分２２、チェックボックス２３、標識２４等から構成されている。
【００３１】
ＩＣタグ１０は、トリアージタグ２の表面、裏面、内部のいずれかに設け、自身のトリアージタグ番号を記憶しておく。本実施の形態では、裏面に貼着させるものとする。ＩＣタグ１０は、通常は金属層を積層した紙や、ＰＥＴやポリプロピレン、ポリエチレン、ポリスチレン、ナイロン等の各種材料等の基材に、ラミネートしたアルミ箔等の金属箔をフォトエッチングやレジスト印刷後のエッチングによりコイル状のアンテナを形成し、ＩＣチップを接続することにより形成する。
【００３２】
傷病者情報記載部２１は、傷病者に関する固有情報、収容された医療機関情報、搬送者に関する情報等が記載される第１の記載欄と、トリアージ実施情報、傷病者の状態情報等が記載される第２の記載欄からなる。
第１の記載欄には、トリアージタグの「トリアージタグ番号」、および、傷病者の「氏名」，「年齢」，「性別」，「住所」，「電話」、および、「トリアージ実施月日」，「トリアージ実施者氏名」，「搬送機関名」，「収容医療機関名」等を記載する。
第２の記載欄には、「トリアージ実施場所」、「傷病者の症状・傷病名」、トリアージ区分２２等を記載する。トリアージ区分２２は、後述する標識２４の情報を表し、治療の優先度を識別する情報である。
【００３３】
チェックボックス２３には、傷病者情報記載部２１に傷病者情報等を記載した後、チェックボックス２３にチェックマークを記載し、電子ペン１はトリアージタグ記載情報を通信端末３に送信する。
【００３４】
標識２４は、傷病者情報記載部２１の下側に設けられ、治療の優先度を識別する標識になっている。標識２４は、上から黒色、赤色、黄色、緑色になっている。
緑色は、自力で歩ける状態、軽症群（症状３を表す「III」）、黄色は、骨折などけがをしているが意識ははっきりしている状態、中等症群（症状２を表す「II」）、赤色は、危険な状態、重症群（症状１を表す「Ｉ」）、黒色は、明らかに死の兆候がある状態（症状０を表す「０」）の紙片が連接されている。尚、前述の症状に関する説明文は定められた正確な表現にはなっていない。これら標識２４は、トリアージ区分２２に合わせ、ちぎり取られて傷病者に貼付されるようになっている。
【００３５】
人体図２５には、異常個所がある場合人体図に印をつけ、簡略版のカルテの役割を果たし、医療機関での早期処置を可能とする。
【００３６】
電子ペン１には固有コードである電子ペンコードが付されていて、トリアージタグ記載情報を通信端末３に送信する際にトリアージタグ記載情報に電子ペンコードを貼付して送信する。例えば、電子ペンコードと被災地区コードを関連付けて登録する。「○○町××丁目」には、「Ａ１２３４５６７８９」というコードの電子ペンを登録し、電子ペンの移動を禁止すれば、トリアージタグに記載された「トリアージタグ番号」と「トリアージ区分」に関連付けられて、「○○町××丁目」には、「危険な状態の傷病者（標識：赤色）」が何人存在するかを傷病者情報データベースで把握することができる。また、救急隊は、トリアージタグ番号リストをもとに的確に救援活動を実施することが可能となる。
【００３７】
トリアージタグ２は、最表面の紙片の記載面には電子ペン専用ドットパターンが印刷されていなければならない。
次に、図４に参照しながら、電子ペン専用ドットパターンについて説明する。図４は、電子ペン専用ドットパターンの一例を説明する図であり、図４（ａ）は、ドットパターンを示す図であり、図４（ｂ）は、ドットパターンに対応する情報を示す図である。尚、図４に示すドットパターンは、アノトペン専用ドットパターンの例である。
【００３８】
図４（ａ）には、ドットパターンの各ドットは、０．３ｍｍ間隔で形成された直角に交わる縦横の仮想線の交点近傍に、それぞれ異なる４方向の何れかに配置されている。図４（ｂ）には、図４（ａ）のドットパターンに対応するデータの配列を示す。尚、図４（ａ）では、説明し易くするために縦横の仮想線が表示されているが、実際には印刷されない。また、各ドットは、電子ペン１の撮像部で認識可能な赤外線インキで印刷されている。前述のＡｎｏｔｏ社のシステムでは、３６個のドット（約４ｍｍ2の内側に印刷されたドット群）を１単位情報として扱っている。
【００３９】
電子ペン１で、トリアージタグ２に傷病情報等を記載すると、記載された情報の近傍に印刷されたドットパターンを電子ペンに内蔵された撮像部１５で読み取って、図４(ａ)のドットパターンのデータに基づいて図４（ｂ）に示すデータ配列を取得し、ペン先が置かれた場所の、または、移動した場所の単位情報から座標情報を割り出し、電子ペン１の記憶部１２に記憶する。
【００４０】
次に、図５を参照しながら、通信端末３のハードウェア構成を説明する。図５は、通信端末３のハードウェア構成図である。
【００４１】
通信端末３は、制御部３１、記憶部３２、通信制御部３４、入力部３５、表示部３６、通信部３７等が、システムバス３９を介して少なくとも接続されて構成される。
【００４２】
制御部３１は、システムバス３９を介して接続された各装置を駆動制御し、通信端末３が行う後述する各種処理（図１０参照）を実現する。
記憶部３２には、制御部３１が実行するプログラム、プログラム実行に必要なデータ、ＯＳ（オペレーティングシステム）、電子ペン１から受信したドットパターン（座標情報）、電子ペン識別情報等が格納される。
通信制御部３４は、通信制御装置、通信ポート等を有し、通信端末３とネットワーク９間の通信を媒介する通信インタフェースであり、ネットワーク９を介して、通信端末３と、電子ペンシステム管理サーバ４、トリアージタグ情報サーバ５間の通信制御を行う。
【００４３】
入力部３５は、データの入力を行い、テンキー等の入力装置を有する。入力部３５を介して、通信端末３に対して、操作指示、動作指示、データ入力等を行うことができる。
表示部３６は、液晶パネル等のディスプレイ装置を有する。
通信部３７は、Ｂｌｕｅｔｏｏｔｈ対応、またはＵＳＢ（Ｕｎｉｖｅｒｓａｌ  Ｓｅｒｉａｌ  Ｂｕｓ）対応となっており、通信端末３と電子ペン１間の通信制御を行う。
【００４４】
次に、図６を参照しながら、トリアージタグ情報サーバ５のハードウェア構成を説明する。図６は、トリアージタグ情報サーバ５のハードウェア構成図である。
【００４５】
トリアージタグ情報サーバ５は、制御部５１、記憶部５２、通信制御部５４、入力部５５、表示部５６、印刷部５７等が、システムバス５９を介して少なくとも接続されて構成される。
【００４６】
制御部５１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成され、ＣＰＵは、システムバス５９を介して接続された各装置を駆動制御し、トリアージタグ情報サーバ５が行う後述する各種処理（図１１、図１２参照）を実現する。
記憶部５２には、ＨＤＤ（ハードディスクドライブ）であり、制御部５１が実行するプログラム、プログラム実行に必要なデータ、ＯＳ（オペレーティングシステム）、傷病者情報データベース等が格納される。プログラムに関しては、ＯＳ（オペレーティングシステム）に相当する制御プログラム６３や、本コンピュータを適用するトリアージタグ情報サーバ５が行う各種データベース管理処理に相当するアプリケーションプログラム６４等が格納されている。
通信制御部５４は、通信制御装置、通信ポート等を有し、トリアージタグ情報サーバ５とネットワーク９間の通信を媒介する通信インタフェースであり、ネットワーク９を介して、トリアージタグ情報サーバ５と、通信端末３、電子ペンシステム管理サーバ４間の通信制御を行う。
【００４７】
入力部５５は、データの入力を行い、例えば、キーボード、マウス等のポインティングデバイス、テンキー等の入力装置を有する。入力部５５を介して、トリアージタグ情報サーバ５に対して、操作指示、動作指示、データ入力等を行うことができる。
表示部５６は、ＣＲＴモニタ、液晶パネル等のディスプレイ装置を有する。
印刷部５７は、プリンタであり、印刷出力処理を行う。
システムバスは、各装置間の制御信号、データ信号等の授受を媒介する経路である。
【００４８】
次に、電子ペンシステム管理サーバ４について説明する。
電子ペンシステム管理サーバ４は、多くの場合、ＰＬＳ（Ｐａｐｅｒ
Ｌｏｏｋ−ｕｐ Ｓｅｒｖｉｃｅ）サーバと、ＡＳＨ（Ａｐｐｌｉｃａｔｉｏｎ Ｓｅｒｖｉｃｅ Ｈａｎｄｌｅｒ）サーバに分けられて設置される。一つのアプリケーションには、同一のドットパターンが存在しないように管理されており、通信端末３から送信されたドットパターンの座標情報は、まず、ＰＬＳサーバに送信される。
【００４９】
ＰＬＳサーバは、受信したドットパターンの座標情報から、使用されているアプリケーションを判別し、そのアプリケーションを支援するＡＳＨサーバのＵＲＬを割り出して、ＡＳＨサーバのＵＲＬを携帯電話経由で、電子ペンに送信する。
携帯電話は、電子ペンの指示に従って座標情報を前述のＡＳＨサーバのＵＲＬに送信する。ＡＳＨサーバは、座標情報をイメージ画像およびテキストデータに変換し、通信端末３（携帯電話）に送信する。
【００５０】
尚、システムによっては、ＰＬＳサーバと、ＡＳＨサーバを同一のサーバ内に存在させて使用する場合や、ＰＬＳサーバだけを独立させて使用する場合がある。
【００５１】
次に、図７を参照しながら、トリアージタグ情報サーバ５の記憶部５２が保持する情報について説明する。図７は、記憶部５２が保持する情報を示す図である。
記憶部５２内には、傷病者情報データベース６、制御プログラム６８、アプリケーションプログラム６９等が格納されている。
【００５２】
図８は、傷病者情報データベース６の一態様を示す図である。
図８に示すように、傷病者情報データベース６は、傷病者情報６０と、拠点所在情報テーブル８０等を格納する。
【００５３】
傷病者情報６０には、トリアージタグ記載情報を基に、トリアージタグ番号６１に対応付けられる傷病者に関する各種情報、例えば、傷病者の固有情報、収容された医療機関情報，搬送者に関する情報、トリアージ実施情報，傷病者の状態情報、トリアージ区分６２、所在情報６３等が格納される。所在情報６３は、登録された傷病者の所在地（現在地）を表す情報であり、例えば所在地の都道府県ＩＤ、市区町村ＩＤ、拠点ＩＤ等の情報からなる。
【００５４】
拠点所在情報テーブル８０は、各拠点８の所在情報を示す拠点所在情報８１からなり、都道府県毎の都道府県情報８２と、各都道府県情報８２に対応付けられる複数の市区町村情報８３と、各市区町村情報８３に対応付けられる複数の拠点情報８４等からなる。拠点８は、避難場所（公園、学校、公共施設等）、搬送拠点（自衛隊駐屯地、ヘリポート等）、医療機関等である。
都道府県情報８２は、都道府県ＩＤ、都道府県名等を有する。
市区町村情報８３は、市区町村ＩＤ、都道府県ＩＤ、市区町村名等を有する。
拠点情報８４は、拠点ＩＤ、市区町村ＩＤ、拠点名等を有する。
【００５５】
制御プログラム６８は、トリアージタグ情報サーバ５の各構成部分を駆動制御するプログラムであり、ＯＳ（オペレーティングシステム）に相当する。
アプリケーションプログラム６９は、トリアージタグ情報サーバ５が行う後述の処理（図１１、図１２参照）に相当する実行可能プログラムである。
【００５６】
尚、傷病者情報データベース６のデータ構成は、この構成に限られるものではない。例えば、傷病者情報６０の所在情報６３は、前述した拠点所在情報８０と同様のフォーマットの情報を登録しておき、利用してもよい。
【００５７】
次に、図９を参照しながら、携帯型ＩＣタグリーダ７のハードウェア構成を説明する。図９は、携帯型ＩＣタグリーダ７のハードウェア構成図である。
【００５８】
携帯型ＩＣタグリーダ７は、制御部７１、記憶部７２、マイクロ波送受信部７３、通信制御部７４、入力部７５、表示部７６、アンテナ７７等が接続される。携帯型ＩＣタグリーダ７はトリアージタグ２（ＩＣタグ１０内蔵）に対して共振する呼び出し信号を発信し、数ｃｍから数十ｃｍの距離でＩＣタグ１０からの応答信号を読み、ＩＣタグ１０に記録した情報であるトリアージタグ番号の読み取りを行う。
【００５９】
制御部７１は、ＣＰＵ、ＲＯＭ、ＲＡＭ等で構成され、接続された各装置を駆動制御し、携帯型ＩＣタグリーダ７が行う後述する処理（図１２参照）を実現する。
【００６０】
記憶部７２には、各構成部分を駆動制御する制御プログラム、アプリケーションプログラムとして、読取手段、読取情報送信手段等に相当する実行可能プログラム、およびトリアージタグ情報サーバ５に情報を提供する際の当該ＩＣタグリーダ１０４を特定する送信元ＩＤ等が格納されている。
【００６１】
マイクロ波送受信部７３は、アンテナ７７を介して、ＩＣタグリーダ７とＩＣタグ１０との間の通信を媒介する無線通信インタフェースであり、ＩＣタグ１０のメモリに記憶されている情報を受信する。
【００６２】
通信制御部７４は、携帯型ＩＣタグリーダ７とネットワーク９間の通信を媒介する通信インタフェースであり、ネットワーク９を介して、携帯型ＩＣタグリーダ７と、トリアージタグ情報サーバ５間の通信制御を行う。
入力部７５は、データの入力を行い、テンキー等の入力装置を有する。入力部７５を介して、携帯型ＩＣタグリーダ７に対して、操作指示、動作指示、データ入力等を行うことができる。
表示部７６は、液晶パネル等のディスプレイ装置を有する。
【００６３】
次に、図１０、図１１を参照しながら、本発明のトリアージタグ使用による傷病者管理システム１００の傷病者情報の登録処理について説明する。
【００６４】
図１０は、トリアージタグ使用による傷病者管理システム１００の機能ブロックと所在情報登録のデータの流れを示す図である。
図１１は、本発明のトリアージタグ使用による傷病者管理システム１００の傷病者情報の登録処理の動作手順を示すフローチャートである。
【００６５】
予め、準備作業として、電子ペン（電子ペンコード）を被災地の区分（区分コード）毎に割り振る。さらに、トリアージ実施者に対し、担当する区分と各区分に割り当てられた電子ペン１，あらかじめトリアージタグ番号が付与されたトリアージタグ２を必要枚数，さらに、Ｂｌｕｅｔｏｏｔｈ対応の通信端末３（携帯電話）を割り当てる。
担当区分情報、電子ペンコード、トリアージタグ番号、携帯電話番号、トリアージ実施者名、トリアージ実施者コード等はトリアージタグ情報サーバ５の傷病者情報データベース６に登録される。
【００６６】
更に、所定範囲内の拠点８の拠点所在情報９０を拠点所在情報テーブル６２に登録しておく。
【００６７】
災害現場１８において、電子ペン１、トリアージタグ２、通信端末３（携帯電話）を所有するトリアージ実施者７は、災害現場で傷病者を診断し、トリアージタグ２に電子ペン１を用いてトリアージタグ記載情報を記入し（ステップＳ２０１）、治療の優先度を識別する標識２４を適当な切り取り線で切り取り、当該傷病者につける。
電子ペンの制御部１１は、撮像部１５で読み取ったドットパターンから記入したトリアージタグ記載情報（座標情報）を取得する（ステップＳ２０２）。
電子ペンの制御部１１は、トリアージタグ２のチェックボックス２３にチェックマークを記入することにより、取得した電子ペンコードとトリアージタグ記載情報（座標情報）を通信端末３（携帯電話）に送信する（ステップＳ２０３）。
【００６８】
通信端末３の制御部３１は、電子ペン１から受信した電子ペンコードとトリアージタグ記載情報（座標情報）を、電子ペンシステム管理サーバ４に送信する（ステップＳ２０４）。
前述したように、電子ペンシステム管理サーバ４（ＰＬＳサーバ）は、ＡＳＨサーバのＵＲＬを、通信端末３を介して電子ペン１に送信する。電子ペンは再度、通信端末３を介して電子ペンコードとトリアージタグ記載情報を電子ペンシステム管理サーバ４（ＡＳＨサーバ）のＵＲＬに送信する。
電子ペンシステム管理サーバ４（ＡＳＨサーバ）は、受信した電子ペンコードとトリアージタグ記載情報（座標情報）をテキストデータに変換し、通信端末３（携帯電話）に送信する。
【００６９】
通信端末３の制御部３１は、テキストデータ化した電子ペンコードとトリアージタグ記載情報を受信する（ステップＳ２０５）。
通信端末３の制御部３１は、テキストデータ化した電子ペンコードとトリアージタグ記載情報をトリアージタグ情報サーバ５に送信する（ステップＳ２０６）。
【００７０】
トリアージタグ情報サーバ５の制御部５１は、傷病者情報登録手段１０１により、受信したテキストデータ化した電子ペンコードとトリアージタグ記載情報を基に、傷病者情報６０を生成し、傷病者情報データベース６に登録、保持する（ステップＳ２０７）。
【００７１】
次に、図１０、図１２を参照しながら、本発明のトリアージタグ使用による傷病者管理システム１００の所在情報の登録、更新処理について説明する。
【００７２】
図１２は、本発明のトリアージタグ使用による傷病者管理システム１００の所在情報の登録、更新処理の動作手順を示すフローチャートである。
【００７３】
図１０に示すように、災害現場１８でトリアージ実施者は、傷病者を診断し、トリアージタグ２（ＩＣタグ付与）に電子ペン１を用いてトリアージタグ記載情報を記入し、トリアージタグ情報サーバ５は、傷病者情報登録手段１０１により、電子ペン１より取得したトリアージタグ記載情報を基に傷病者情報を傷病者情報データベース６に登録する。傷病者の搬送に伴い、トリアージタグ情報サーバ５は、情報更新手段１０２により、拠点（搬送拠点）８−１（例えば避難場所）で、携帯型ＩＣタグリーダ７を用いて、トリアージタグ２（ＩＣタグ貼付）からトリアージタグ番号を読み取り、トリアージタグ情報サーバ５に傷病者の情報を問い合わせ、登録されている情報を携帯型ＩＣタグリーダ７の液晶ディスプレイに表示し、拠点８−１の所在情報の更新を行う。更に、拠点（医療機関）８−２に搬送されると、トリアージタグ情報サーバ５は、情報更新手段１０２により、同様に、拠点８−２の所在情報の更新を行う。
【００７４】
図１２に示すように、拠点８にて、傷病者に装着されているトリアージタグ２（ＩＣタグ１０貼付）に携帯型ＩＣタグリーダ７かざす（ステップＳ３０１）。携帯型ＩＣタグリーダ７の制御部７１は、ＩＣタグ１０のメモリに記憶した情報であるトリアージタグ番号６１、トリアージタグ情報サーバ５の送信先アドレスであるＵＲＬを読み取る（ステップＳ３０２）。
ＩＣタグリーダ７の制御部７１は、読み取ったトリアージタグ番号６１を、読み取ったトリアージタグ情報サーバ５のＵＲＬに送信する（ステップＳ３０３）。
【００７５】
トリアージタグ情報サーバ５の制御部５１は、傷病者情報データベース６から受け取ったトリアージタグ番号６１に該当する傷病者情報６０を取得する（ステップＳ３０４）。
トリアージタグ情報サーバ５の制御部５１は、登録されている該傷病者情報６０のトリアージタグ番号６１、所在情報６３、トリアージ区分６２と、拠点所在情報テーブル８０を基に所定範囲の拠点のリストボックスからなる情報更新画面データを生成し、ＩＣタグリーダ７に送信する（ステップＳ３０５）。
【００７６】
ＩＣタグリーダ７の制御部７１は、受け取った情報更新画面９２を表示する（ステップＳ３０６）。
図１０に示すように、情報更新画面９２は、該傷病者のトリアージタグ番号、トリアージ区分、登録されている都道府県名、市区町村名、拠点名と、所定範囲の拠点のリストボックスからなる。
トリアージ実施者は、情報更新画面９２に従って、現在地（拠点名等）、傷病者の症状の変化に応じてトリアージ区分をリストボックスから選択、入力する（ステップＳ３０７）。
ＩＣタグリーダ７の制御部７１は、更新ボタンにより、入力された現在地（拠点名等）、トリアージ区分等をトリアージタグ情報サーバ５に送信する（ステップＳ３０８）。
【００７７】
トリアージタグ情報サーバ５の制御部５１は、受信した現在地（都道府県名、市区町村名、拠点）、トリアージ区分を基に所在情報６３を、傷病者情報データベース６の該当する傷病者情報６０に登録（更新）する（ステップＳ３０９）。
【００７８】
尚、拠点８の現在地（拠点名等）を選択する方法として、各通信端末３（携帯電話）のアンテナの住所情報と近隣の拠点８を関連付けてデータベースに登録、管理しておき、情報更新画面９２を表示する際に、携帯型ＩＣタグリーダ７の電波を受信した最寄りのアンテナの住所に関連付けられた拠点をリストボックスに表示してもよい。
【００７９】
以上説明したように、本発明の実施の形態によれば、災害現場１８でトリアージ実施者は、傷病者を診断し、トリアージタグ２（ＩＣタグ１０貼付）に電子ペン１を用いてトリアージタグ記載情報を記入し、電子ペン１より取得したトリアージタグ記載情報を基に傷病者情報を傷病者情報データベース６に登録する。傷病者の搬送に伴い、拠点（搬送拠点）８−１（例えば避難場所）で、携帯型ＩＣタグリーダ７を用いて、トリアージタグ２に付与したＩＣタグ１０からトリアージタグ番号を読み取り、トリアージタグ情報サーバ５に傷病者の情報を問い合わせ、登録されている情報を携帯型ＩＣタグリーダ７の液晶ディスプレイに表示し、拠点８−１の所在情報をリストボックスより選択し、トリアージタグ情報サーバ５は、傷病者情報データベース６の該当する傷病者情報に登録する。更に、拠点（医療機関）８−２に搬送されると、同様に、拠点（医療機関）８−２の所在情報の更新を行う。
【００８０】
これにより、大災害時のような混乱した状況下でも、医療機関への搬送に伴う傷病者の所在情報を管理可能となり、搬送傷病者の所在をリアルタイムで把握可能となる。また、災害時の傷病者情報のデータベースが構築され、傷病者の症状の変化に応じた傷病者の情報の更新を可能とする。また、被災時の混乱した状況を考慮したシームレスに情報の管理が行える。
【００８１】
尚、本実施の形態では、機械的に識別可能な情報記憶媒体としてＩＣタグ１０を用い、その読取装置としてＩＣタグリーダ７を用いたが、情報記録媒体として、１次元バーコードをトリアージタグ２に備え、その読取装置としてバーコードリーダを用いて、情報を収集してもよい。
【００８２】
尚、図１１、図１２に示す処理を行うプログラムはＣＤ−ＲＯＭ等の記録媒体に保持させて流通させてもよいし、このプログラムを通信回線を介して送受することもできる。
【００８３】
以上、添付図面を参照しながら、本発明に係るトリアージタグ使用による傷病者管理システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００８４】
【図１】本実施の形態に係るトリアージタグ使用による傷病者管理システム１００の概略構成を示す図
【図２】電子ペン１の構成を示す図
【図３】トリアージタグ２の一例を示す図
【図４】電子ペン専用ドットパターンの一例を説明する図
【図５】通信端末３のハードウェア構成図
【図６】トリアージタグ情報サーバ５のハードウェア構成図
【図７】記憶部５２が保持する情報を示す図
【図８】傷病者情報データベース６の一態様を示す図
【図９】携帯型ＩＣタグリーダ７のハードウェア構成図
【図１０】トリアージタグ使用による傷病者管理システム１００の機能ブロックと情報登録のデータの流れを示す図
【図１１】本発明のトリアージタグ使用による傷病者管理システム１００の傷病者情報の登録処理の動作手順を示すフローチャート
【図１２】本発明のトリアージタグ使用による傷病者管理システム１００の所在情報の登録、更新処理の動作手順を示すフローチャート
【符号の説明】
【００８５】
１………電子ペン
２………トリアージタグ
３………通信端末
４………電子ペンシステム管理サーバ
５………トリアージタグ情報サーバ
６………傷病者情報データベース
７………携帯型ＩＣタグリーダ
８………拠点
９………ネットワーク
１０………ＩＣタグ
１１、３１、５１、７１………制御部
１２、３２、５２、７２………記憶部
１３………圧力センサ
１４………通信部
１５………撮像部
１６………ＬＥＤ
１７………筆記部
１８………災害現場
２１………傷病者情報記載部
２２………トリアージ区分
２３………チェックボックス
２４………標識
６０………傷病者情報
６１………トリアージタグ番号
６２………トリアージ区分
６３………所在情報
８０………拠点所在情報テーブル
８１………拠点所在情報
８２………都道府県情報
８３………市区町村情報
８４………拠点情報
１００………トリアージタグ使用による傷病者管理システム
１０１………傷病者情報登録手段
１０２………情報更新手段
１０３………座標情報・テキストデータ変換手段
【図１】
0005347285.tif 000002
【図２】
0005347285.tif 000003
【図３】
0005347285.tif 000004
【図４】
0005347285.tif 000005
【図５】
0005347285.tif 000006
【図６】
0005347285.tif 000007
【図７】
0005347285.tif 000008
【図８】
0005347285.tif 000009
【図９】
0005347285.tif 000010
【図１０】
0005347285.tif 000011
【図１１】
0005347285.tif 000012
【図１２】
0005347285.tif 000013